(57)【要約】【課題】電力消費を抑えつつ有用な情報収集を行う。【解決手段】無線携帯端末１０が、１又は複数の種別のセンサ（２４，２６，２８）と、利用者の利用者属性を検出する利用者識別手段１６と、を有し、配信サーバ５０が、特定のエリア内に存在する無線携帯端末から取得した利用者属性と、各無線携帯端末が保有するセンサの種別とに基づいて、エリア内で情報収集に用いるセンサを決定する収集方法設定手段５８を有しており、無線携帯端末１０は、収集方法設定手段５８にて決定されたセンサを用いて情報収集を行う。このように、存在エリアや端末利用者の情報（利用者属性）に基づいて決定されるセンサを用いることで適切な数の有用な情報を、電力消費を抑えつつ収集することができる。【選択図】図２
2011070596.tif 000002
【特許請求の範囲】
【請求項１】
１又は複数の種別のセンサと、利用者の利用者属性を検出する属性検出手段と、を有する情報収集端末と、
特定のエリア内に存在する情報収集端末から取得される当該情報収集端末を利用する利用者の利用者属性と、前記情報収集端末が保持するセンサの種別の情報と、に基づいて、前記エリア内で情報収集に用いるセンサを決定する決定装置と、を備え、
前記情報収集端末は、前記決定装置にて決定されたセンサを用いて、情報収集を行うことを特徴とする情報収集システム。
【請求項２】
前記決定装置は、前記特定のエリアのエリア属性にも基づいて、前記エリア内で情報収集に用いるセンサを決定することを特徴とする請求項１に記載の情報収集システム。
【請求項３】
前記決定装置は、前記情報収集端末の電池残量を含む状態量にも基づいて、前記エリア内で情報収集に用いるセンサを決定することを特徴とする請求項１又は２に記載の情報収集システム。
【請求項４】
前記決定装置は、前記特定のエリア内に存在する情報収集端末が変化したときに、前記エリア内での情報収集に用いるセンサを決定しなおすことを特徴とする請求項１〜３のいずれか一項に記載の情報収集システム。
【請求項５】
前記エリアは、前記決定装置に接続されたアクセスポイントとの通信が可能な範囲で規定されていることを特徴とする請求項１〜４のいずれか一項に記載の情報収集システム。
【請求項６】
前記属性検出手段は、前記利用者に配布されたＩＣカードに記録された情報を読み取ることで、前記利用者属性を検出することを特徴とする請求項１〜５のいずれか一項に記載の情報収集システム。
【請求項７】
前記属性検出手段は、前記利用者の指紋を読み取ることで、前記利用者属性を検出することを特徴とする請求項１〜５のいずれか一項に記載の情報収集システム。
【発明の詳細な説明】
【技術分野】
【０００１】
本件は、情報収集システムに関する。
【背景技術】
【０００２】
従来、環境調査においては、気温、湿度、気圧などの各種環境に関する値を各種センサを用いて測定し、分析するのが一般的であった。このような環境調査では、調査対象とするエリアごとにセンサを設置し、所定期間ごとに各センサの設置場所を巡回して測定結果を取得していた。
【０００３】
これに対し、特許文献１には、予め決められた場所へセンサ等を設置しなくても、即座に任意の場所での環境測定を行うことが可能な環境測定システム及び方法が開示されている。
【先行技術文献】
【特許文献】
【０００４】
【特許文献１】特開２００２−３４１０５３号公報
【発明の概要】
【発明が解決しようとする課題】
【０００５】
特許文献１に記載のシステムは、任意の場所を指定してその地域内の基地局に属する携帯電話端末から測定データを取得することで、即座に環境測定を行うことを可能にするものである。
【０００６】
しかしながら、上記特許文献１のシステムでは、情報収集したい環境情報の種別を如何にして決定するのかが不明である（特許文献１の段落（００２５））。また、制御部は、指定した基地局の配下にある携帯電話端末の全てから、環境情報を取得する（特許文献１の段落（００２８），（００２９））。このため、必要以上の数の環境情報を収集してしまい、結果的に、携帯電話端末の電力を必要以上に消費させる可能性がある。また、これにより、無線通信の使用可能帯域が圧迫され、重要度の高い情報配信に悪影響を及ぼすおそれもある。
【０００７】
そこで本件は上記の課題に鑑みてなされたものであり、情報収集を適切に行うことが可能な情報収集システムを提供することを目的とする。
【課題を解決するための手段】
【０００８】
本明細書に記載の情報収集システムは、１又は複数の種別のセンサと、利用者の利用者属性を検出する属性検出手段と、を有する情報収集端末と、特定のエリア内に存在する情報収集端末から取得される当該情報収集端末を利用する利用者の利用者属性と、前記情報収集端末が保持するセンサの種別の情報と、に基づいて、前記エリア内で情報収集に用いるセンサを決定する決定装置と、を備え、前記情報収集端末は、前記決定装置にて決定されたセンサを用いて、情報収集を行うことを特徴とする情報収集システムである。
【発明の効果】
【０００９】
本明細書に記載の情報収集システムは、情報収集を適切に行うことができるという効果を奏する。
【図面の簡単な説明】
【００１０】
【図１】第１の実施形態に係る情報収集システムの構成及び設置状況を概略的に示す図である。
【図２】図２（ａ）は、無線携帯端末の制御系を示すブロック図であり、図２（ｂ）は、配信サーバの制御系を示すブロック図である。
【図３】図３（ａ）は、無線携帯端末の斜視図であり、図３（ｂ）は、無線携帯端末の断面図である。
【図４】無線携帯端末１０が利用者に情報を提供したり、環境情報を取得したりする処理の全体的な流れを示すフローチャートである。
【図５】図５（ａ）は、図４のステップＳ１２の利用者登録処理における無線携帯端末１０の処理を示すフローチャートであり、図５（ｂ）は、利用者登録処理における配信サーバ５０の処理を示すフローチャートである。
【図６】図４のステップＳ１６の処理を示すフローチャートである。
【図７】図４のステップＳ２０の処理を示すフローチャートである。
【図８】図８（ａ）は、図４のステップＳ２４の利用者登録解除処理における無線携帯端末１０の処理を示すフローチャートであり、図８（ｂ）は、利用者登録解除処理における配信サーバ５０の処理を示すフローチャートである。
【図９】無線携帯端末管理テーブルを示す図である。
【図１０】搭載センサ情報テーブルを示す図である。
【図１１】利用者管理テーブルを示す図である。
【図１２】センサ駆動条件テーブルを示す図である。
【図１３】駆動センサ優先選定順位テーブルを示す図である。
【図１４】収集方法設定手段による、環境情報収集方法の設定処理を示すフローチャートである。
【図１５】エリアＩＤ：３のエリアがレントゲン室であり、他のエリアからエリアＩＤ：３のエリアに端末ＩＤ：Ｔ５の端末が移動してきた状態を示す図である。
【図１６】無線携帯端末管理テーブルが更新された状態を示す図（その１）である。
【図１７】無線携帯端末管理テーブルが更新された状態を示す図（その２）である。
【図１８】第２の実施形態における工場の状態を模式的に示す図である。
【図１９】第２の実施形態における搭載センサ情報テーブルを示す図である。
【図２０】第２の実施形態における駆動センサ優先選定順位テーブルを示す図である。
【図２１】第２の実施形態におけるセンサ駆動条件テーブルを示す図である。
【図２２】第２の実施形態における利用者管理テーブルを示す図である。
【図２３】第２の実施形態における無線携帯端末管理テーブルを示す図である。
【発明を実施するための形態】
【００１１】
≪第１の実施形態≫
以下、情報収集システムの第１の実施形態について、図１〜図１７に基づいて詳細に説明する。
【００１２】
図１には、情報収集システム１００の構成、設置状況が模式的に示されている。この図１に示すように、情報収集システム１００は、ある施設（本実施形態では、病院とする）内に設置されるものである。情報収集システム１００は、情報収集端末としての複数台の無線携帯端末１０と、配信サーバ５０と、無線携帯端末１０と配信サーバ５０との間の通信を行うアクセスポイントＡＰ1〜ＡＰnと、を備える。アクセスポイントＡＰ1〜ＡＰnは、病院内に設定された無線エリア（エリアＩＤ：１〜ｎ）それぞれに対応して設けられている。すなわち、各無線エリアは、アクセスポイントＡＰ1〜ＡＰnそれぞれとの通信が可能な範囲により、規定されている。
【００１３】
図２（ａ）には、無線携帯端末１０の制御系がブロック図にて示されている。この図２（ａ）に示すように、無線携帯端末１０は、制御手段１２と、無線通信手段１４と、属性検出手段としての利用者識別手段１６と、表示手段１８と、記憶手段２０と、電源管理手段２２と、各種センサ（２４，２６，２８）と、を有する。なお、無線携帯端末１０は、図３（ａ）の斜視図に示すように、無線携帯端末１０の外殻を構成する筐体３０を有し、その一部に表示手段１８が設けられている。また、筐体３０には、利用者のＩＤが記録されたＩＣ（integrated circuit）カード４０を挿入するためのカード挿入口３０ａが形成されている。更に、無線携帯端末１０の各手段及び各センサは、図３（ｂ）の断面図において模式的に示すような配置で、筐体３０内に収容されている。
【００１４】
制御手段１２は、制御手段１２に接続されている各手段、各センサの動作を統括的に制御する。無線通信手段１４は、アクセスポイントＡＰ1〜ＡＰnを介して配信サーバ５０と無線での通信を行う。この無線通信手段１４は、無線携帯端末１０が施設（病院）内のどの位置にあっても、配信サーバ５０との無線通信を常時確保するために、アクセスポイントを適宜切り替えるハンドオーバ機能を有している。なお、無線エリアが交わっている環境で、無線携帯端末が無線エリアが交わっている箇所にある場合には、このハンドオーバ機能によって選定したＡＰに所属しているものとする。利用者識別手段１６は、無線携帯端末１０の利用者を識別するために用いられるものであり、ここでは、ＩＣカード４０の情報を読み取ることが可能なＲＦリーダが用いられる。利用者識別手段１６は、図３に示すように、ＩＣカード４０が挿入されるカード挿入口３０ａ近傍に設けられている。なお、利用者識別手段１６としては、ＲＦリーダに代えて、又はこれとともに利用者の指紋や声紋、目の角膜等の生体情報を読み取ることが可能な生体認証手段を採用しても良い。
【００１５】
表示手段１８は、無線携帯端末１０の各利用者に対して病院の案内情報や、呼び出し情報などを表示する。記憶手段２０は、制御手段１２等において必要な端末設定情報等を格納している。
【００１６】
電源管理手段２２は、無線携帯端末１０自体の電源管理を行う。各種センサ（２４，２６，２８）は、病院内の環境情報を取得するためのセンサであり、温度センサ２４、照度センサ２６、放射線センサ２８を含んでいる。各センサ２４，２６，２８による検出値は、制御手段１２に送られる。なお、図２（ａ）では、各種センサとして、温度センサ２４、照度センサ２６、放射線センサ２８が設けられている場合について説明したが、これは一例であって、無線携帯端末の端末種別によって異なる。具体的には、図１０に示すように、端末種別ごとに、温度センサ、湿度センサ、照度センサ、放射線センサ、ガスセンサが様々な組み合わせで、設けられる。
【００１７】
図２（ｂ）には、配信サーバ５０の制御系がブロック図にて示されている。この図２（ｂ）に示すように、配信サーバ５０は、無線端末管理手段５２と、利用者管理手段５４と、環境情報管理手段５６と、決定装置としての収集方法設定手段５８と、無線通信手段６０と、制御手段６２と、を有する。
【００１８】
無線端末管理手段５２は、無線携帯端末１０の状態（例えば、充電池残量など）を管理する。ここで、無線端末管理手段５２が管理している情報には、図９に示す無線携帯端末管理テーブルや、図１０に示す搭載センサ情報テーブルがある。図９の無線携帯端末管理テーブルは、各無線携帯端末１０（端末ＩＤ；Ｔ１，Ｔ２…）の利用者を把握することができるテーブルである。また、無線携帯端末管理テーブルによれば、利用者が利用する無線携帯端末１０の情報（端末の機種情報、現在位置しているエリア（通信に用いているアクセスポイント）、充電池残量、センサの稼動状態）などを把握することもできる。一方、図１０の搭載センサ情報テーブルは、各利用者が利用する端末と、その端末が有するセンサの種別とを示したテーブルである。
【００１９】
利用者管理手段５４は、無線携帯端末１０の利用者の情報（利用者の属性など）を管理する。具体的には、利用者管理手段５４は、図１１に示す利用者管理テーブルを有している。この利用者管理テーブルは、利用者の利用者属性に関するテーブルである。このテーブルを用いれば、利用者ＩＤから、利用者属性を取得することができる。
【００２０】
環境情報管理手段５６は、無線携帯端末１０のセンサを用いて収集した環境情報を管理する。収集方法設定手段５８は、無線端末管理手段５２及び利用者管理手段５４が管理する情報を用いて、無線携帯端末１０の環境情報収集方法を設定する。なお、この環境情報収集方法を設定する際には、収集方法設定手段５８自身が保有している、図１２に示すセンサ駆動条件テーブル及び図１３に示す駆動センサ優先選定順位テーブルも用いられる。
【００２１】
このうち、図１２のセンサ駆動条件テーブルは、各アクセスポイントＡＰ1〜ＡＰnの配置されたエリアにおいて、複数の無線携帯端末が存在した場合に、どのような条件でセンサを設定するかを定めたテーブルである。より具体的には、図１２のテーブルは、温度センサ、照度センサ、放射線センサを利用する場合の例を示しており、各アクセスポイントでの各センサの駆動台数の上限や、計測周期が定められている。図１２では、温度センサについては、全エリア共通で、駆動台数上限が２台で計測周期が１分とされている。また、照度センサについては、全エリア共通で、駆動台数上限が３台で、計測周期が５分とされている。これに対し、放射線センサについては、アクセスポイント毎に、台数上限や計測周期が様々な値に設定されている。図１２は、レントゲン室がアクセスポイントＡＰ3のエリアに存在している場合を例示しており、当該レントゲン室を含むエリアを、放射線センサの台数を多くし、計測周期を小さくするエリアと定めている。このようにしたのは、レントゲン室を含むエリアでは、放射線の情報収集の頻度や信頼性を高めるために、その地点での情報収集台数や頻度を上げる必要があるからである。なお、このセンサ駆動条件テーブルは、施設の通信エリア、及び、着眼すべき環境情報や貸与する無線携帯端末の台数等を考慮して、事前に作成しておく必要がある。
【００２２】
一方、図１３の駆動センサ優先選定順位テーブルは、環境情報収集方法を設定するにあたり、どのセンサを優先的に設定するかを定めたものである。図１３では、各センサ種別に対する利用者属性の関連度も示している。関連度の指標としては、「１」、「０」を用いており、関連がある場合に「１」、関連がない場合に「０」を用いることとしている。
【００２３】
図２（ｂ）に戻り、無線通信手段６０は、アクセスポイントＡＰ1〜ＡＰnを介して各無線携帯端末１０と無線通信を行う。無線通信手段６０は、各無線携帯端末１０がどのアクセスポイントの通信エリアに存在するかを把握する機能を有している。制御手段６２は、各手段の動作を統括的に制御する。
【００２４】
上述した配信サーバ５０では、環境情報管理手段５６において管理されている環境情報を、随時、施設監視システム等に提供したり、施設監視システム等からの要求に応じて提供したりする。施設監視システムでは、提供された環境情報を分析して、病院内の状況（環境状態）を把握し、その結果を元に空調や照明などを制御して病院内の快適な環境を実現する。また、環境状態の異常を検知したときには、施設監視システムは、警報を発するなどして病院内の安全を確保する。
【００２５】
次に、無線携帯端末１０が利用者に情報を提供したり、環境情報を取得したりする処理について、図４のフローチャート、及び図４のフローチャートのサブルーチンを示す図５〜図８に基づいて説明する。この処理の前提として、利用者（医師や看護師、患者など）は、病院に来場した際に、施設の受付や入口等で、無線携帯端末１０を貸与されるものとする。ただし、これに限らず、例えば医師や看護師などは、貸与を受けずに、個人で所有する無線携帯端末を用いることとしても良い。
【００２６】
まず、図４のステップＳ１０では、ユーザからの入力に基づいて、電源管理手段２２が、無線携帯端末１０の電源をＯＮにする。ここで、無線携帯端末１０に電源ボタンが設けられている場合には、当該電源ボタンへの利用者からの入力に基づいて、電源をＯＮにする。また、無線携帯端末１０へのＩＣカード４０の挿入と電源とを連動させる場合には、ＩＣカード４０の挿入に基づいて、電源をＯＮにする。なお、ＩＣカード４０は、医師や看護師であれば、身分証明書を兼ねていても良いし、患者であれば、診察券などを兼ねていても良い。
【００２７】
次いで、ステップＳ１２では、利用者登録処理のサブルーチンを実行する。本サブルーチンでは、図５（ａ）の処理（無線携帯端末１０の処理）と図５（ｂ）の処理（配信サーバ５０の処理）が同時並行的に進行する。そして、図５（ｂ）の処理が終了した時点で、図４のステップＳ１４に移行する。
【００２８】
まず、図５（ａ）の処理について説明する。まず、図５（ａ）のステップＳ１２０では、無線携帯端末１０の制御手段１２が、カード挿入口３０ａにＩＣカード４０が挿入されたか否かを判断する。ここでの判断が否定された場合には、ステップＳ１２０を繰り返すことで、ＩＣカードが挿入されるまで待機する。そして、ステップＳ１２０の判断が肯定されると、ステップＳ１２２に移行し、制御手段１２は、利用者識別手段１６を起動し、それを用いて、利用者のＩＣカード４０から利用者ＩＤを取得する。次いで、ステップＳ１２４では、制御手段１２が、無線通信手段１４を用いて、利用者登録要求を配信サーバ５０に対して通知する。ここで、無線通信手段１４は、利用者登録要求を通知する際に、前述したステップＳ１２２において取得した利用者ＩＤと、端末自身のＩＤ（端末ＩＤ）とを紐付けした状態で送信する。
【００２９】
次に、図５（ｂ）の処理について説明する。まず、図５（ｂ）のステップＳ１２６では、配信サーバ５０の制御手段６２が、利用者登録要求を受信したか否かを判断する。すなわち、前述したステップＳ１２４が無線携帯端末１０側で実行されるまで待機する。そして、ステップＳ１２６の判断が肯定されると、ステップＳ１２８において、無線端末管理手段５２を起動し、これを用いて、利用者登録を実行する。この利用者登録では、図９に示す無線携帯端末管理テーブルに登録されている無線携帯端末１０の端末ＩＤに対して、利用者ＩＤを対応付けて登録する。
【００３０】
以上のようにして、図５（ａ）、図５（ｂ）の利用者登録処理のサブルーチンが実行されると、図４のステップＳ１４に戻る。ステップＳ１４では、受信情報があるか否かを判断する。ここで、本実施形態では、受信情報には、（ａ）状態通知要求、(b)環境情報収集方法通知、(c)利用者への提供情報通知の３種類があるものとする。このステップＳ１４の判断が肯定された場合には、ステップＳ１６の受信情報解析処理サブルーチンに移行し、否定された場合には、ステップＳ１８に直接移行する。
【００３１】
ステップＳ１６では、図６に示すフローチャートが実行される。この図６では、まずステップＳ１６０において、無線携帯端末１０の制御手段１２が、受信情報が状態通知要求であった否かを判断する。ここでの判断が肯定された場合には、ステップＳ１６２において、制御手段１２が、無線携帯端末１０の状態を取得する。この場合における無線携帯端末１０の状態とは、無線携帯端末１０の充電残存量等を意味する。そして、次のステップＳ１６４では、制御手段１２は、無線通信手段１４を介して、状態通知の要求元である配信サーバ５０に無線携帯端末１０の状態を通知する。
【００３２】
一方、ステップＳ１６０の判断が否定されると、ステップＳ１６６に移行し、制御手段１２は、受信情報が、環境情報収集方法であるか否かを判断する。ここでの判断が肯定されると、ステップＳ１６８に移行する。ステップＳ１６８では、制御手段１２は、環境情報収集方法の設定を変更する。無線携帯端末１０は、それ以降は、変更後の環境情報収集方法で、環境情報収集を実施する。なお、配信サーバ５０における、環境情報収集方法の設定方法の詳細な内容については、後述する。
【００３３】
これに対し、ステップＳ１６６の判断が否定されると、受信情報が、利用者への提供情報通知であると判断できるので、制御手段１２は、ステップＳ１７０において、表示手段１８に利用者への情報提供を表示する。ここで、提供される情報としては、例えば、患者の所持する無線携帯端末であれば、病院内の案内情報や、その利用者の病院内におけるスケジュール等の情報、あるいは呼出情報等が想定される。また、医師や看護師の所持する無線携帯端末であれば、ナースコールがあった旨の情報及びその詳細な情報等が、提供される情報として想定される。
【００３４】
以上、ステップＳ１６４、Ｓ１６８、Ｓ１７０のいずれかの処理を実行すると、図６の全処理を終了し、図４のステップＳ１８に移行する。
【００３５】
図４のステップＳ１８では、無線携帯端末１０の制御手段１２が、環境情報を収集するか否かを判断する。ここでは、配信サーバ５０から通知されている環境情報収集方法（ステップＳ１６８で設定された収集方法）を参照して、環境情報を収集するか否かを判断する。ここでの判断が肯定された場合には、ステップＳ２０に移行し、否定された場合には、ステップＳ２２に移行する。
【００３６】
ステップＳ２０に移行した場合には、図７に示す環境情報収集処理のサブルーチンを実行する。図７のサブルーチンでは、ステップＳ２００において、無線携帯端末１０の制御手段１２は、通知された環境情報収集方法に基づき、自己が有するセンサを用いて、環境情報を収集する。次いで、ステップＳ２０２では、制御手段１２は、無線通信手段１４を介して、配信サーバ５０に対し、収集した環境情報を通知する。その後は、図４のステップＳ２２に戻る。
【００３７】
図４のステップＳ２２では、無線携帯端末１０の制御手段１２が、利用者から、施設での滞在を終了する旨の入力があったか否かを判断する。この場合における、滞在を終了する旨の入力は、電源ボタンをＯＦＦにしたり、ＩＣカードを引き抜いたりすることで行われる。ここでの判断が否定された場合には、ステップＳ１４に戻るが、判断が肯定されると、ステップＳ２４に移行する。なお、ステップＳ１４に戻った場合には、上記ステップＳ１４〜Ｓ２２を繰り返す。
【００３８】
一方、ステップＳ２４に移行した場合には、利用者登録解除処理のサブルーチンを実行する。本サブルーチンでは、図８（ａ）の処理（無線携帯端末１０の処理）と図８（ｂ）の処理（配信サーバ５０の処理）が同時並行的に進行する。そして、図８（ｂ）の処理が終了した時点で、図４のステップＳ２６に移行する。
【００３９】
まず、図８（ａ）の処理について説明する。図８（ａ）のステップＳ２４０において、無線携帯端末１０の制御手段１２が、カード挿入口３０ａからＩＣカード４０が引き抜かれたか否かを判断する。ここでの判断が否定された場合には、ステップＳ２４０を繰り返すことで、ＩＣカード４０が引き抜かれるまで待機する。そして、ステップＳ２４０の判断が肯定されると、ステップＳ２４２に移行し、制御手段１２は、無線通信手段１４を用いて、利用者登録解除要求を配信サーバ５０に対して通知する。ここで、無線通信手段１４は、利用者登録解除要求を通知する際に、利用者ＩＤも一緒に送信する。
【００４０】
次に、図８（ｂ）の処理について説明する。図８（ｂ）のステップＳ２４４では、配信サーバ５０の制御手段６２が、利用者登録解除要求を受信したか否かを判断する。すなわち、前述したステップＳ２４２が無線携帯端末１０側で実行されるまで待機する。そして、ステップＳ２４４の判断が肯定されると、ステップＳ２４６において、制御手段６２は、無線端末管理手段５２を起動し、これを用いて、利用者登録解除を実行する。ここで、配信サーバ５０では、無線携帯端末管理テーブル（図９参照）から通知された利用者ＩＤと端末ＩＤとの紐付け情報を削除するために、通知された利用者ＩＤについてのデータを削除する。
【００４１】
図４に戻り、ステップＳ２６では、制御手段１２が電源管理手段２２を用いて、電源をオフにする。これにより、図４の全工程が終了する。
【００４２】
次に、図１４のフローチャートに沿って、配信サーバ５０の収集方法設定手段５８において実行される、環境情報収集方法の設定処理について、詳細に説明する。
【００４３】
まず、図１４のステップＳ３０２では、収集方法設定手段５８は、複数あるエリアを示すエリア番号（Ｉ）を「１」に設定し、アクセスポイントＡＰ1のエリアに着目する。次いで、ステップＳ３０４では、収集方法設定手段５８は、そのエリア（エリアＩＤ：１）で、直近の状況と比べて、無線携帯端末の台数などの状態、無線携帯端末の利用者属性等が変化したか否かを判断する。ここでの判断が否定された場合には、ステップＳ３３６に移行し、Ｉを１インクリメントした後、ステップＳ３３８でＩがＩの最大値ｎを超えたか否かを判断する。ここでの判断が否定された場合には、ステップＳ３０４に戻る。一方、ステップＳ３３８の判断が肯定された場合には、全てのエリアにおいて状況が変化していないため、環境情報収集方法を変更する必要が無いので、ステップＳ３４０において、終了か否かを判断する。ここでの判断が否定される場合には、ステップＳ３０２に戻り、１番目のエリアから、状況が変化したかを再度判断する。
【００４４】
なお、本実施形態では、図１５に示すように、端末Ｔ５を所持する利用者が、アクセスポイントＡＰ2のエリア（エリアＩＤ：２）からアクセスポイントＡＰ3のエリア（エリアＩＤ：３）にハンドオーバしたものとする。この場合、エリア３の状況の変化を判断したときに、ステップＳ３０４の判断が肯定されたものとする。なお、図１５では、エリアＩＤが３のエリア内にレントゲン室が存在している。
【００４５】
図１４に戻り、次のステップＳ３０６では、収集方法設定手段５８が、優先選定順位（Ｊ）を１に設定する。次いで、ステップＳ３０８では、収集方法設定手段５８が、優先選定順位Ｊと、図１３に示す駆動センサ優先選定順位テーブルとに基づいて、設定対象センサ種別を設定する。この場合、優先選定順位Ｊ＝１の「放射線センサ」が設定されることになる。
【００４６】
次いで、ステップＳ３１０では、収集方法設定手段５８が、図１０の搭載センサ情報テーブルに基づいて、設定対象センサを有する端末機種を抽出する。ここでは、収集方法設定手段５８は、放射線センサを有する端末種別としてＣ１、Ｃ２を抽出し、更に、アクセスポイントＡＰ３のエリアに存在する端末機種Ｃ１、Ｃ２の端末を抽出する。図１５では、アクセスポイントＡＰ３のエリアには、端末Ｔ１、Ｔ２，Ｔ３，Ｔ４，Ｔ５が存在しているため、これらの中から、端末機種Ｃ１、Ｃ２を抽出する。ここでは、図９の無線携帯端末管理テーブルより、端末機種Ｃ２として、端末ＩＤ：Ｔ１、Ｔ４，Ｔ５の３台の端末が抽出されることになる。
【００４７】
次いで、ステップＳ３１２では、収集方法設定手段５８が、設定可能端末数に余剰があるか否かを判断する。ここでは、図１２のセンサ駆動条件テーブルに示すように、アクセスポイントＡＰ3では、放射線センサの駆動台数上限が２台と定められている。このため、抽出された端末台数（３台）は、駆動台数上限（２台）に対して余剰があるので、ステップＳ３１２の判断は肯定され、ステップＳ３１６に移行する。なお、ステップＳ３１２の判断が否定された場合（余剰が無かった場合）には、ステップＳ３１４において、収集方法設定手段５８が、抽出された全端末を選定する。すなわち、これ以降、アクセスポイントＡＰ３のエリアにおける、放射線センサを利用した環境情報の取得は、抽出された全端末の放射線センサを用いることとする。
【００４８】
抽出された端末に余剰があった場合（ステップＳ３１２の判断が肯定された場合）には、その中から、実際に環境情報の取得に用いる端末を選択する必要がある。この選択は、充電池残量などの様々な要素を総合的に考慮して行う。具体的には、まず、ステップＳ３１６において、収集方法設定手段５８は、設定端末の番号を示すＫを１に設定する。そして、ステップＳ３１８では、収集方法設定手段５８は、端末ＩＤの小さいほうからＫ番目（ここでは、１番目）の端末の評価値Ｆ（ｘ）を、次式（１）に基づいて算出する。
Ｆ(ｘ)＝Ａ×［充電池残量］
＋Ｂ×［対象センサに対する利用者属性の関連度］
−Ｃ×［環境情報収集設定済対象センサ種別の数］      …（１）
【００４９】
なお、Ａ、Ｂ、Ｃは予め設定した定数（重み付け係数）である。また、充電池残量は、図９の無線携帯端末管理テーブルから取得したものであり、対象センサに対する利用者属性の関連度は、Ｋ番目の端末の利用者の属性に基づいて、図１３の駆動センサ優先選定順位テーブルから取得した値である。更に、環境情報収集設定済対象センサ種別の数は、Ｋ番目の端末に設けられたセンサのうち、既に環境情報の測定に用いているセンサ数である。なお、ステップＳ３１８の後、ステップＳ３２０では、Ｋを１インクリメントし、ステップＳ３２２では、Ｋが抽出数を示す数Ｎを超えたか否かを判断する。そして、ここでの判断が否定された場合には、ステップＳ３１８に戻り、肯定された場合には、ステップＳ３２４に移行する。これらステップＳ３１８、Ｓ３２０、Ｓ３２２を繰り返すことにより、抽出された全端末の評価値を算出することができる。
【００５０】
ここで、例えば、対象センサにおける評価値の定数Ａが「１０」、定数Ｂ、定数Ｃが「５」であるとすると、端末ＩＤがＴ１の評価値Ｆ（ｘ）は４０(＝１０×４＋５×０−５×０)となる。また、Ｔ４の評価値Ｆ（ｘ）は５５(＝１０×５＋５×１−５×０)となり、Ｔ５の評価値Ｆ（ｘ）は４５(＝１０×４＋５×１−５×０)となる。
【００５１】
その後、ステップＳ３２４に移行すると、収集方法設定手段５８は、評価値Ｆ（ｘ）の高い順に、必要台数分（駆動台数上限分）の端末を選定する。ここでは、評価値の高い２台の端末Ｔ４、Ｔ５がそのエリア（エリアＩＤ：３）において放射線センサを用いる環境情報収集端末に選定される。図１６の無線携帯端末管理テーブルのハッチング部分には、放射線センサを用いる環境情報収集端末として、端末ＩＤ：Ｔ４、Ｔ５の端末が設定された状態が示されている。
【００５２】
次いで、ステップＳ３２６では、収集方法設定手段５８が、選定端末のセンサ稼動条件を設定する。ここでは、図１２のセンサ駆動条件テーブルに基づいて、端末ＩＤ：Ｔ４、Ｔ５の端末の放射線センサの計測周期を１（分）に設定する（図１６のハッチング部分参照）。
【００５３】
次いで、ステップＳ３２８では、収集方法設定手段５８が、Ｊを１インクリメントした後、ステップＳ３３０において、ＪがＭ（Ｍは、優先選定順位として定められている最大数）を超えたか否かを判断する。ここでの判断が否定されると、ステップＳ３０８に戻り、ステップＳ３０８〜Ｓ３２６を実行することで、優先順位が２番目のセンサに関する環境情報収集端末の選定を、上記と同様にして実行する。ここでは、優先順位が２番目である温度センサ（図１３参照）について環境情報収集端末の選定が行われる。この場合、エリアＩＤ：３のエリアに存在する端末のうち、温度センサが搭載されている端末は、図１０の搭載センサ情報テーブルより、端末ＩＤ：Ｔ１、Ｔ２、Ｔ３、Ｔ４、Ｔ５の端末である。したがって、ここでは、それらの端末に対して、温度センサにおける評価値Ｆ（ｘ）を上式（１）を用いて算出する。この場合、端末ＩＤ：Ｔ１の端末の評価値Ｆ（ｘ）は４５(＝１０×４＋５×１−５×０)となり、Ｔ２の端末の評価値は３５(＝１０×３＋５×１＋５×０)となる。また、Ｔ３の端末の評価値は２５(＝１０×２＋５×１−５×０)となり、Ｔ４の端末の評価値は５０(＝１０×５＋５×１−５×１)となり、Ｔ５の端末の評価値は４０(＝１０×４＋５×１−５×１)となる。したがって、ここでは、評価値Ｆ（ｘ）の高い２台の端末（端末ＩＤ：Ｔ１、Ｔ４）が、温度センサにおける環境情報収集端末に選定される（図１７のハッチング部分参照）。
【００５４】
その後、全ての種別のセンサについて環境情報収集端末が選定されると、ステップＳ３３０の判断が肯定されて、ステップＳ３３２に移行する。ステップＳ３３２では、収集方法設定手段５８は、エリアＩ＝３における上記設定処理において、センサ稼動条件が変更されたか否かを判断する。ここでの判断が肯定された場合、すなわち、いずれかのセンサにおける環境情報収集端末が変更された場合には、ステップＳ３３４に移行する。ステップＳ３３４では、収集方法設定手段５８が、変更に関わる全ての端末にセンサ稼動条件を通知し、ステップＳ３３６に移行する。なお、ステップＳ３３４の通知が行われた場合には、図４のステップＳ１４の判断が肯定され、ステップＳ１６において、図６のサブルーチンのステップＳ１６８が実行されることになる。
【００５５】
一方、ステップＳ３３２の判断が否定された場合には、ステップＳ３３６に直接移行する。その後は、エリアを順次変更しながら、同様の処理を行い、全てのエリアにおける処理が終了し（ステップＳ３３８が肯定され）、ステップＳ３４０において、終了と判断された時点で、図１４の全処理を終了する。なお、ステップＳ３４０の判断が肯定される場合とは、配信サーバ５０の電源がオフにされた場合などが挙げられる。
【００５６】
以上、詳細に説明したように、本実施形態によると、無線携帯端末１０が、１又は複数の種別のセンサ（２４，２６，２８）と、利用者の利用者属性を検出する利用者識別手段１６と、を有しており、配信サーバ５０が、特定のエリア内に存在する無線携帯端末１０から取得した利用者属性と、センサの種別とに基づいて、エリア内で情報収集に用いるセンサを決定する収集方法設定手段５８を有している。そして、無線携帯端末１０は、収集方法設定手段５８にて決定されたセンサを用いて情報収集を行う。これにより、無線携帯端末１０に設けられた全センサを用いて情報収集を行わなくても、存在エリアや端末利用者の情報（利用者属性）に基づいて決定されるセンサを用いることで、適切な数の有用な情報を収集することができる。これにより、電力消費を抑えつつ有用な情報収集を行うことが可能である。
【００５７】
また、本実施形態によると、収集方法設定手段５８は、特定のエリアのエリア属性（レントゲン室近くのエリアか否かなどの情報）にも基づいて、情報収集に用いるセンサを決定する。したがって、各エリアの情報収集に必要なセンサを各エリアの属性に応じて適切に決定することができる。
【００５８】
また、本実施形態によると、収集方法設定手段５８は、無線携帯端末１０の電池残量を含む状態量にも基づいて、情報収集に用いるセンサを決定する。したがって、電池残量が多い無線携帯端末１０を積極的に用いるようにすることができる。これにより、各端末における電池切れを抑制することができる。
【００５９】
また、本実施形態によると、収集方法設定手段５８は、特定のエリア内に存在する無線情報端末１０が変化したときに、当該エリア内で情報収集に用いるセンサを設定し直すこととしている。これにより、エリア内の状況に応じて用いるセンサを適切に設定することができる。
【００６０】
また、本実施形態によると、エリアは、配信サーバ５０に接続されたアクセスポイントとの通信が可能な範囲で規定されている。このため、アクセスポイントとの通信の可否に応じて、各無線携帯端末１０の存在エリアを確認することが可能である。これにより、各無線携帯端末で用いるセンサを適切に設定することが可能となる。
【００６１】
また、本実施形態では、利用者識別手段１６は、利用者に配布されたＩＣカードに記録された情報を読み取ることで、利用者属性を検出するので、簡易且つ短時間に利用者属性の検出を行うことが可能である。
【００６２】
なお、上記実施形態では、病院内において情報収集システム１００を運用した場合について説明したが、これに限られるものではない、例えば、アミューズメント施設など、人が集まる施設においても、運用することができる。また、工場などでも運用することができる。以下に説明する第２の実施形態は、情報収集システム１００を工場に運用した場合の例である。
【００６３】
≪第２の実施形態≫
次に、情報収集システムの第２の実施形態について、図１８〜図２３に基づいて説明する。本実施形態は、有害なガスを取り扱う工場の例であり、従業員や来訪者等が無線携帯端末１０を利用するものとする。なお、情報収集システムの構成は、上記第１の実施形態と同一のものであるが、各種テーブルの内容が上記第１の実施形態とは異なっている。
【００６４】
図１８には、工場内の複数の無線エリアが模式的に示されている。この図１８に示すように、本実施形態では、工場内には無線エリアが４つ（エリアＩＤ：１〜４）存在しており、各エリアには、アクセスポイントが設けられているものとする。また、エリアＩＤ：４のエリアは、ガス利用施設とされている。
【００６５】
図１９には、搭載センサ情報テーブルが示されている。また、図２０には、駆動センサ優先選定順位テーブルが示されている。本実施形態では、駆動センサ優先選定順位テーブルの利用者属性として、危険エリア（ここでは、有害なガス利用施設のあるエリア）への立入があるか、ないかが設定されている。
【００６６】
図２１には、センサ駆動条件テーブルが示されている。この図２１に示すように、本実施形態の工場内では、温度センサ、照度センサ、ガスセンサを用いることとしている。図２１のセンサ駆動条件テーブルでは、温度センサについては、全エリア共通で、駆動台数上限が２台で、計測周期が１分とされている。また、照度センサについては、全エリア共通で、駆動台数上限が３台で、計測周期が５分とされている。これに対し、ガスセンサについては、アクセスポイント毎に、台数上限や計測周期が様々な値に設定されている。図２１では、ガスセンサの台数が多く、計測周期が小さいエリアを、ガス利用施設及びその近傍のエリアとしている。このようにしたのは、ガス利用施設を含むエリア及びその近傍のエリアでは、ガスの情報収集の頻度や信頼性を高めるために、その地点での情報収集台数や頻度を上げる必要があるからである。
【００６７】
図２２には、利用者管理テーブルが示されている。この利用者管理テーブルでは、利用者ＩＤとその利用者の属性（危険エリア（ここでは、有害なガス利用施設のあるエリア）への立入があるか、ないか）を管理している。図２３は、第１の実施形態の図９と同様の、無線携帯端末管理テーブルである。
【００６８】
本実施形態では、収集方法設定手段５８は、上記各種テーブルを参照しつつ、図１４のフローチャートの処理を実行する。そして、例えば、図１８に示すように、端末ＩＤ：Ｔ１の端末がアクセスポイントＡＰ2のエリアからＡＰ3のエリアにハンドオーバして、アクセスポイントＡＰ3のエリアの状況が変わると（ステップＳ３０４（肯定））、アクセスポイントＡＰ3のエリアでの環境情報収集方法の見直しを実行する。
【００６９】
ここで、図２０の駆動センサ優先選定順位テーブルに示すように、優先設定順位が１番のセンサは、ガスセンサであるため、本実施形態では、最初にガスセンサについての環境情報収集端末の設定を行う（ステップＳ３０８）。この場合、図１９の搭載センサ情報テーブルより、ガスセンサは、端末種別Ｃ１とＣ３に設けられていることがわかる。したがって、収集方法設定手段５８は、アクセスポイントＡＰ3のエリアに存在している５台の端末（端末ＩＤ：Ｔ１〜Ｔ５）から、端末種別Ｃ１，Ｃ３に該当する３台の端末（端末ＩＤ：Ｔ１、Ｔ２、Ｔ３）を、図２３の無線携帯端末管理テーブルに基づいて抽出する（ステップＳ３１０）。
【００７０】
一方、アクセスポイントＡＰ3のエリアにおけるガスセンサの駆動台数上限は、図２１のセンサ駆動条件テーブルにおいて１台に設定されているため、設定可能端末数には余剰がある（ステップＳ３１２（肯定））。このため、各端末の評価値Ｆ（ｘ）を算出する必要がある。なお、本実施形態においても、評価値Ｆ（ｘ）は上式（１）を用いて算出するものとする。ここで、式（１）の定数Ａを「１０」、定数Ｂ及び定数Ｃを「５」とすると、端末ＩＤ：Ｔ１の端末の評価値は４５(＝１０×４＋５×１−５×０)、Ｔ２の端末の評価値は３５(＝１０×３＋５×１−５×０)となる。また、Ｔ３の端末の評価値は２５(＝１０×２＋５×１−５×０)となる(ステップＳ３１８)。したがって、収集方法設定手段５８は、これらのうちで最も評価値の高い端末（端末ＩＤ：Ｔ１）を、アクセスポイントＡＰ3のエリア内におけるガスセンサについての環境情報収集端末に選定する（ステップＳ３２４、図２３のハッチング部分参照）。
【００７１】
その後は、同様にして、他のセンサ（温度センサ、照度センサ）についても環境情報収集端末の再設定を行い、センサの駆動条件等が更新された端末に対しては、その旨を通知する（ステップＳ３３４）。
【００７２】
以上、詳細に説明したように、本第２の実施形態によると、情報収集システム１００を工場内に設置した場合であっても、上記実施形態と同様の効果を得ることができる。
【００７３】
なお、上記各実施形態では、評価値Ｆ（ｘ）を、上式（１）を用いて求める場合について説明した。しかしながら、これに限られるものではなく、端末の状態量や利用者属性などを反映することが可能な別の式を用いて、Ｆ（ｘ）を求めることとしても良い。
【００７４】
上述した各実施形態は本発明の好適な実施の例である。但し、これに限定されるものではなく、本発明の要旨を逸脱しない範囲内において種々変形実施可能である。
【符号の説明】
【００７５】
１０  無線携帯端末（情報収集端末）
１６  利用者識別手段（属性検出手段）
２４  温度センサ（センサ）
２６  照度センサ（センサ）
２８  放射線センサ（センサ）
４０  ＩＣカード
５８  収集方法設定手段（決定装置）
ＡＰ1〜ＡＰn  アクセスポイント
【図１】
2011070596.tif 000003
【図２】
2011070596.tif 000004
【図３】
2011070596.tif 000005
【図４】
2011070596.tif 000006
【図５】
2011070596.tif 000007
【図６】
2011070596.tif 000008
【図７】
2011070596.tif 000009
【図８】
2011070596.tif 000010
【図９】
2011070596.tif 000011
【図１０】
2011070596.tif 000012
【図１１】
2011070596.tif 000013
【図１２】
2011070596.tif 000014
【図１３】
2011070596.tif 000015
【図１４】
2011070596.tif 000016
【図１５】
2011070596.tif 000017
【図１６】
2011070596.tif 000018
【図１７】
2011070596.tif 000019
【図１８】
2011070596.tif 000020
【図１９】
2011070596.tif 000021
【図２０】
2011070596.tif 000022
【図２１】
2011070596.tif 000023
【図２２】
2011070596.tif 000024
【図２３】
2011070596.tif 000025